(57)【要約】【課題】開閉式の収納ケースにおいて、リブによることなく剛性を高めて、閉じた際に合わせ面に隙間やずれが生じないようにする。【解決手段】両端に端壁１０２，１０３を有する円筒体１０１をその軸線方向に沿って二つ割りとした左右一対のケースメンバー１２，１３をヒンジ手段を介して開閉可能に連結してなり、その内部に清掃用粘着テープロール３０が収納される清掃用粘着テープロール用収納ケース１０において、各ケースメンバー１２，１３が閉じられた状態における当該収納ケース１０の端壁１０２，１０３部分の外径φ１よりも、当該収納ケース１０の中央部分の外径φ２の方を大きくして（φ１＜φ２）、当該収納ケース１０をいわゆる太鼓形状とする。【選択図】図４
2018079180.tif 000002
【特許請求の範囲】
【請求項１】
両端に端壁を有する円筒体をその軸線方向に沿って二つ割りとした左右一対のケースメンバーをヒンジ手段を介して開閉可能に連結してなり、その内部に片面粘着テープを粘着面を外側にして巻回してなる清掃用粘着テープロールが収納される清掃用粘着テープロール用収納ケースにおいて、
上記各ケースメンバーが閉じられた状態における当該収納ケースの上記端壁部分の外径をφ１、当該収納ケースの中央部分の外径をφ２として、φ１＜φ２であることを特徴とする清掃用粘着テープロール用収納ケース。
【請求項２】
上記φ１とφ２の比は、１．００：１．００超〜１．２０であることを特徴とする請求項１に記載の清掃用粘着テープロール用収納ケース。
【請求項３】
当該収納ケースの外形面が、一方の上記端壁から他方の上記端壁にかけてラジアルクラウン状に形成されていることを特徴とする請求項１または２に記載の清掃用粘着テープロール用収納ケース。
【請求項４】
当該収納ケースり外形面が、一方の上記端壁から他方の端壁にかけてテーパークラウン状に形成されていることを特徴とする請求項１または２に記載の清掃用粘着テープロール用収納ケース。
【請求項５】
上記各ケースメンバーの端壁部分は、その合わせ面側が当該収納ケースの軸線と直交する仮想垂直面よりも当該収納ケースの外側に向けて傾斜していることを特徴とする請求項１ないし４のいずれか１項に記載の清掃用粘着テープロール用収納ケース。
【請求項６】
上記各ケースメンバーの内面には、閉じた状態で上記清掃用粘着テープロールの外周端縁に当接し、上記外周端縁間の粘着面部分をケース内面に対して非接触として上記清掃用粘着テープロールを支持する支持面が形成されていることを特徴とする請求項１ないし５のいずれか１項に記載の清掃用粘着テープロール用収納ケース。
【請求項７】
上記支持面は、上記清掃用粘着テープロールの外周端縁に当接する傾斜面からなり、上記傾斜面は、その始点が上記粘着テープロールの外周端よりも内側に配置され、その終点が上記粘着テープロールの外周端よりも外側に配置されており、上記始点から上記終点に向けて所定の上り勾配で傾斜していることを特徴とする請求項１ないし６のいずれか１項に記載の清掃用粘着テープロール用収納ケース。
【請求項８】
上記各ケースメンバーの内面には、周方向、軸方向のいずれにもリブが存在していないことを特徴とする請求項１ないし７のいずれか１項に記載の清掃用粘着テープロール用収納ケース。
【請求項９】
当該収納ケースが内部を透視し得る透明な合成樹脂材からなることを特徴とする請求項７に記載の清掃用粘着テープロール用収納ケース。
【発明の詳細な説明】
【技術分野】
【０００１】
本発明は、清掃用粘着テープロールを不使用時に保管する収納ケースに関し、さらに詳しく言えば、両端に端壁を有する円筒体をその軸線方向に沿って二つ割りとした左右一対のケースメンバーをヒンジ手段を介して開閉可能に連結してなる清掃用粘着テープロール用収納ケースに関するものである。
【背景技術】
【０００２】
カーペット等に付着したゴミを除去する清掃具の一つに粘着式清掃具がある。この種の粘着式清掃具は、一方の面が粘着面である片面粘着テープをその粘着面が外側に向くように巻回してなる粘着テープロールを有し、その粘着テープロールを専用の治具を用いて被清掃面の上で転がすことによりゴミを粘着面で捕捉する。
【０００３】
ところで、粘着テープロールは、その最外表の粘着面が常に露出しているため、そのまま床等の被清掃面に置いたりすると、粘着面が床面等に貼り付いてしまう。そこで、不使用時には粘着テープロールを保管用の収納ケース内に収納するようにしている。
【０００４】
通常、収納ケースには、例えば特許文献１に記載されているように、両端に端壁を有する円筒体をその軸線方向に沿って二つ割りとした左右一対のケースメンバーをヒンジ手段を介して開閉可能に連結した収納ケース（以下、「開閉式収納ケース」と言うことがある）が用いられているが、収納ケースへの収納時においても、粘着テープロールの粘着面がケース内面に貼り付かないようにする必要がある。
【０００５】
そのため、例えば特許文献２に記載された発明では、開閉式収納ケースにおいて、ケース内面に径方向に沿うリブを軸線方向に所定の間隔をもって多数並設して粘着テープロールの粘着面との接触面積を極力小さくするようにしている。
【先行技術文献】
【特許文献】
【０００６】
【特許文献１】特開２００３−２６５４０１号公報
【特許文献２】特開２００４−０７３５６２号公報
【発明の概要】
【発明が解決しようとする課題】
【０００７】
上記開閉式収納ケースの多くは、外径がほぼ均一の単純な円筒状として設計され、合成樹脂の射出成形により、左右一対のケースメンバーがヒンジ手段としての薄肉ヒンジの部分を含めて一体に成形されるが、成形後の反り等により、閉じたときに合わせ面の一部に隙間やずれが生ずることがある。
【０００８】
また、ケース内面にリブを設けることにより、粘着テープロールの粘着面の貼り付きを防止できるとともに、ケースメンバーの反りに対する剛性（機械的強度）が高められ、合わせ面を正確に閉じることができるが、ケース表面にそのリブに沿ってヒケが生ずることがある。さらには、収納ケースを透明ケースとした場合、リブが透視されデザイン性が損なわれる、という問題もある。
【０００９】
このような理由から、リブはない方が好ましいが、リブをなくした場合、ケースメンバーの剛性が低下するばかりでなく、どのようにして粘着テープロールの粘着面がケース内面に貼り付かないようにするかが問題となる。
【００１０】
したがって、本発明の課題は、清掃用粘着テープロールを保管するための開閉式収納ケースにおいて、リブによることなく、各ケースメンバーの剛性（機械的強度）を高めてそれらの合わせ面に隙間やずれを生ずることなく閉じることができ、また、粘着テープロールの粘着面がケース内面に貼り付かないようにすることにある。
【課題を解決するための手段】
【００１１】
上記課題を解決するため、本発明は、両端に端壁を有する円筒体をその軸線方向に沿って二つ割りとした左右一対のケースメンバーをヒンジ手段を介して開閉可能に連結してなり、その内部に片面粘着テープを粘着面を外側にして巻回してなる清掃用粘着テープロールが収納される清掃用粘着テープロール用収納ケースにおいて、
上記各ケースメンバーが閉じられた状態における当該収納ケースの上記端壁部分の外径をφ１、当該収納ケースの中央部分の外径をφ２として、φ１＜φ２であることを特徴としている。
【００１２】
本発明において、上記φ１とφ２の比（φ１：φ２）は、好ましくは１．００：１．００超〜１．２０、より好ましくは１．００：１．００超〜１．１０、さらに好ましくは１．００：１．０２〜１．０７である。
【００１３】
本発明には、当該収納ケースの外形面の形状について、一方の上記端壁から他方の上記端壁にかけてラジアルクラウン状に形成されている態様と、一方の上記端壁から他方の端壁にかけてテーパークラウン状に形成されている態様とが含まれる。
【００１４】
好ましくは、上記各ケースメンバーの端壁部分は、その合わせ面側が当該収納ケースの軸線と直交する仮想垂直面よりも当該収納ケースの外側に向けて傾斜しているとよい。
【００１５】
また、上記各ケースメンバーの内面には、閉じた状態で上記清掃用粘着テープロールの外周端縁に当接し、上記外周端縁間の粘着面部分をケース内面に対して非接触として上記清掃用粘着テープロールを支持する支持面が形成されていることも、本発明の特徴の一つである。
【００１６】
本発明において、上記支持面は、上記清掃用粘着テープロールの外周端縁に当接する傾斜面からなり、上記傾斜面は、その始点が上記粘着テープロールの外周端よりも内側に配置され、その終点が上記粘着テープロールの外周端よりも外側に配置されており、上記始点から上記終点に向けて所定の上り勾配で傾斜している。
【００１７】
また、本発明は、上記各ケースメンバーの内面には、周方向、軸方向のいずれにもリブが存在していないことを特徴としている。特には、当該収納ケースが内部を透視し得る透明な合成樹脂材からなることが好ましい。
【発明の効果】
【００１８】
本発明によれば、各ケースメンバーが閉じられた状態における当該収納ケースの端壁部分の外径をφ１、当該収納ケースの中央部分の外径をφ２としてφ１＜φ２、すなわち、中央部分が端壁部分よりも大径のいわゆる太鼓状としたことにより、各ケースメンバーの剛性（機械的強度）が高められ、各ケースメンバーの合わせ面を隙間やずれを生ずることなく正確に閉じることができる。
【００１９】
また、上記のように当該収納ケースを太鼓状としたことに伴って、各ケースメンバーの内面に、清掃用粘着テープロールの両端の外周端縁に当接し、外周端縁間の粘着面部分をケース内面に対して非接触（浮いた状態）として清掃用粘着テープロールを支持する支持面が形成されるため、粘着テープロールをその粘着面がケース内面に貼り付かないように支持することができる。
【図面の簡単な説明】
【００２０】
【図１】本発明の一実施形態に係る収納ケースの（ａ）正面図、（ｂ）平面図、（ｃ）底面図、（ｄ）左側面図および（ｅ）右側面図。
【図２】上記収納ケースの開いた状態を示す斜視図。
【図３】上記収納ケース内に粘着テープロールが収納されている状態を示す正面図。
【図４】図３のＢ−Ｂ線に沿った拡大断面図。
【図５】上記収納ケースの外形に適用される（ａ）ラジアルクラウン、（ｂ）テーパクラウンを示す模式図。
【図６】上記収納ケースの端壁部分を示す縦断面図。
【図７】図３の収納ケース部分を拡大した正面図。
【図８】図７の丸囲み部分Ａの拡大図。
【発明を実施するための形態】
【００２１】
次に、図１ないし図８により、本発明の実施形態について説明するが、本発明はこれに限定されるものではない。
【００２２】
まず、図１および図２を参照して、この実施形態に係る清掃用粘着テープロール用収納ケース（以下、単に「収納ケース」と言うことがある）１０は、両端に端壁１０２，１０３を有する円筒部１０１を備えている。
【００２３】
この収納ケース１０には、円筒部１０１を端壁１０２，１０３の部分を含めて軸線方向に沿って二つ割りとした左右一対のケースメンバー１１，１２が含まれている。ケースメンバー１１，１２は、上記軸線方向に沿った一方の長辺側（基端側（下辺側））同士が薄肉ヒンジ１３を介して開閉可能に連結されている。薄肉ヒンジ１３は、中央１箇所の配置でもよい。
【００２４】
ケースメンバー１１，１２は、組み合わされて円筒部１０１を形成する半円筒部１１１，１２１を有し、半円筒部１１１，１２１の各一端には組み合わされて端壁１０２となる端板１１２，１２２が形成され、また、半円筒部１１１，１２１の各他端には組み合わされて端壁１０３となる端板１１３，１２３が形成されている。
【００２５】
ケースメンバー１１，１２の他方の長辺側（開閉端側（上辺側））の中央部分には、ケースメンバー１１，１２を閉じた状態に保持するロック部１０５が設けられている。この実施形態において、ロック部１０５は、ケースメンバー１１側に形成された係止受け具１１６と、係止受け具１１６の相手方としてケースメンバー１２側に形成された係止爪１２６との組合せからなる。
【００２６】
このロック部１０５によれば、ケースメンバー１１，１２を閉じるだけで、係止爪１２６が係止受け具１１６に噛み合ってロックがかかる。ケースメンバー１１，１２を開くには、ケースメンバー１２の上辺部分を押して弾性変形させ、係止爪１２６を係止受け具１１６からはずせばよい。
【００２７】
ケースメンバー１２の上辺のほぼ中央部分には、例えば商品陳列棚の陳列バーに吊り下げるための係止リング１０６が形成されている。なお、係止リング１０６はケースメンバー１２側ではなく、ケースメンバー１１側に設けられてもよい。
【００２８】
また、ケースメンバー１１，１２の各下辺側の底面には、当該収納ケース１０を床面等に安定して置くことができるようにするための脚板１１４，１２４がこの例では左右２箇所にそれぞれ設けられている。
【００２９】
一方の端壁１０２には、後述する操作治具の金属ステム用の挿通孔１０４が設けられている。この挿通孔１０４は、端板１１２と端板１２２の合わせ面にそれぞれ形成された半円溝１１２ａ，１２２ａの組合せよりなる。
【００３０】
また、端板１１２と端板１２２には、上記金属ステムをほぼ垂直状態に保持する保持板１１５，１２５が設けられている。また、図１（ａ）に示すように、ケースメンバー１２の外表面には、必要に応じて商品名表示部１２ａが設けられてよい。
【００３１】
図３には、この収納ケース１０内に清掃用の粘着テープロール３０を収納した状態が示されている。粘着テープロール３０は、一方の面が粘着面とされた片面粘着テープをその粘着面を外側として渦巻き状に巻回することにより形成され、その外表面には粘着面３１が露出している。図示しないが、粘着テープロール３０はほぼ１周長ごとにミシン目を有し、汚れにより最外層の粘着力が低下したら一巻きずつ剥がして使用する。
【００３２】
粘着テープロール３０を転がして被清掃面を清掃するには、専用の操作治具４０を用いる。操作治具４０には、支柱部材としての金属ステム４１と、粘着テープロール３０の巻芯内に挿通される支持ローラ４２と、ユーザーによって把持されるグリップ部４３とが含まれている。
【００３３】
金属ステム４１は、支持ローラ４２を回転可能に保持する水平軸部４１１と、水平軸部４１１の一端からほぼ直角に折り曲げられた垂直軸部４１２と、垂直軸部４１２の上端から水平軸部４１１側に向けて斜め上向きに折り曲げられその途中からほぼ垂直上方に向けて折り曲げられたアーム軸部４１３とを有し、アーム軸部４１３の先端にグリップ部４３が取り付けられている。
【００３４】
粘着テープロール３０は、操作治具４０の支持ローラ４２に回転可能に支持された状態で収納ケース１０内に収納される。その際、水平軸部４１１が端壁１０２の挿通孔１０４から引き出されるとともに、垂直軸部４１２が端壁１０２に設けられている保持板１１５，１２５の間に保持される。
【００３５】
ケースメンバー１１，１２は、薄肉ヒンジ１３の部分を含めて合成樹脂の射出成形により一体成形されるが、本発明では、リブによることなく、ケースメンバー１１，１２の剛性（機械的強度）を高めて、閉じた際にケースメンバー１１，１２の合わせ面の一部に隙間やずれが生じないようにしている。
【００３６】
具体的には、図４を参照して、端壁１０２，１０３側の外径φ１よりも円筒部１０１の中央部分の外径φ２を大きくし（φ１＜φ２）、収納ケース１０を中央部分に膨らみを持ついわゆる太鼓状として、ケースメンバー１１，１２の剛性を高めている。
【００３７】
上記φ１とφ２の比（φ１：φ２）は、好ましくは１．００：１．００超〜１．２０である。より好ましくは１．００：１．００超〜１．１０、さらに好ましくは１．００：１．０２〜１．０７である。
【００３８】
φ１：φ２が１．００：１．００以下であると、射出成形後の反りを押さえ得るだけの剛性が得られず、また、ケースへの粘着テープロール３０の粘着面の貼り付きを防止できない。これに対して、φ１：φ２が１．００：１．２０超になると、見栄えが悪くなり好ましくない。ちなみに、実機（実際の製品）の寸法は、一例として、φ１：６９．０１ｍｍ，φ２：７２．８０ｍｍ，軸長：１７４．０２ｍｍである。
【００３９】
太鼓状の形態としては、図５（ａ）に示すラジアルクラウン、もしくは同図（ｂ）に示すテーパクラウンが適用されてよい。なお、図５（ａ），（ｂ）のクラウン形状は誇張的に描かれている。
【００４０】
図６は収納ケース１０の一方の端壁１０３側の縦断面図であるが、ケースメンバー１１，１２の剛性をより高めるには、同図に示すように、端壁１０３に含まれる端板１１３，１２３を、その合わせ面１１３ａ，１２３ａ側が収納ケース１０の軸線Ｘと直交する仮想垂直面Ｙよりも角度θだけ収納ケース１０の外側に向けて傾斜させるとよい。
【００４１】
角度θは好ましくは３〜１０゜で、より好ましくは４〜８゜である。他方の端壁１０２も同様とするが、角度θが１０゜を超えると、金属ステム４１の引出側の端壁１０２が金属ステム４１の垂直軸部４１２に当接することがあるため、角度θは１０゜以下が好ましい。ちなみに、上記の実機寸法によれば、角度θ＝５゜ごとに、端板１１３，１２３の合わせ面１１３ａ，１２３ａが約３ｍｍ外側に広がる。
【００４２】
ケースメンバー１１，１２は、その全体にわたってほぼ等しい肉厚を有している。したがって、収納ケース１０の内部の収納空間も、端壁１０２，１３０側の内径よりも円筒部１０１の中央部分の内径の方が大きい太鼓状を呈する。
【００４３】
これにより、粘着テープロール３０の収納ケース１０内での保管時に、その粘着面３１がケース内面に貼り付かないようにすることができる。
【００４４】
図７を参照して、内部の収納空間が太鼓状であることにより、収納ケース１０内の端壁１０２側と端壁１０３側とに、粘着テープロール３０の両端の外周端縁３０ａに当接し、その一方の外周端縁３０ａと他方の外周端縁３０ａとの間の粘着面３１の部分をケース内面に対して非接触（浮いた状態）として粘着テープロール３０を支持する支持面１１０が形成される。
【００４５】
図８に拡大して示すように、支持面１１０は、粘着テープロール３０の外周端縁３０ａに当接する傾斜面からなる。この傾斜面は、その始点１１０ａが粘着テープロール３０の外周端縁３０ａよりも内側に配置され、その終点１１０ｂが粘着テープロール３０の外周端縁３０ａよりも外側に配置されており、始点１１０ａから終点１１０ｂに向けて所定の上り勾配で傾斜している。
【００４６】
このような支持面（傾斜面）１１０が一方の端壁１０２側と他方の端壁１０３側とに設けられていることにより、図７に示すように、粘着テープロール３０は、その粘着面３１がケース内面から浮いた状態に支持されることになる。
【００４７】
また、粘着テープロール３０の収納ケース１０内での保管時に、その粘着面３１がケース内面に貼り付かないようにするうえで、粘着テープロール３０は、その外周端縁に所定幅（例えば５〜７ｍｍ程度）の粘着材が塗布されていないドライエッジ部３２を備えていることが好ましい。
【００４８】
以上説明したように、本発明に係る収納ケース１０によれば、ケースメンバー１１，１２の剛性が高いことから、それらの合わせ面に隙間やずれを生じさせることなく、ケースメンバー１１，１２をしっかりと確実に閉じることができる。
【００４９】
また、収納ケース１０をいわゆる太鼓状に形成したことに伴って、各ケースメンバー１１，１２の内面に、粘着テープロール３０の外周端縁３０ａに当接し、外周端縁３０ａ，３０ａ間の粘着面３１の部分をケース内面に対して非接触（浮いた状態）として粘着テープロール３０を支持する支持面１００が形成されるため、粘着テープロール３０の粘着面３１がケース内面に貼り付かないようにすることができる。
【００５０】
また、収納ケース１０内にリブを形成する必要がなくなるため、射出成形時のヒケ発生による成形不良率を低減でき、また、透明ケースとしてもリブのない見栄えのよい収納ケースを得ることができる。
【符号の説明】
【００５１】
１０  収納ケース
１０１  円筒部（太鼓形状の円筒部）
１０２，１０３  端壁
１０４  挿通孔
１０５  ロック手段
１１０  支持面（傾斜面）
１１０ａ  始点
１１０ｂ  終点
１１，１２  ケースメンバー
１３  薄肉ヒンジ
１１４，１２４  脚板
３０  清掃用粘着テープロール
３０ａ  外周端縁
３１  粘着面
３２  ドライエッジ部
４０  操作治具
４１  金属ステム
４２  支持ローラ
４３  グリップ部
【図１】
2018079180.tif 000003
【図２】
2018079180.tif 000004
【図３】
2018079180.tif 000005
【図４】
2018079180.tif 000006
【図５】
2018079180.tif 000007
【図６】
2018079180.tif 000008
【図７】
2018079180.tif 000009
【図８】
2018079180.tif 000010